(57)【特許請求の範囲】
【請求項１】
ケース開口部を有する外装ケースと、
前記ケース開口部に装着されるパッキンと、
前記ケース開口部に前記パッキンを介して内嵌され、前記ケース開口部を閉塞するように前記外装ケースに取付けられるカバーガラスと、
前記カバーガラスの背面に、このカバーガラスの面方向中央の大部分に亘って配置され、且つ前記カバーガラスと所定間隔をあけて配置されるソーラーパネルとを有し、
前記ケース開口部の内周に、前記カバーガラスの外周部を載置可能、且つ前記ソーラーパネルの面方向の位置決め可能な台座部を形成し、
前記パッキンは、
前記ケース開口部と前記カバーガラスとの間に介装される本体部と、
前記本体部の前記台座部側の端部から延出され、前記カバーガラスと前記台座部との間に介装されるフランジ部とを有し、
前記台座部に、少なくとも前記パッキンの前記フランジ部の一部が露出する台座開口部を形成したことを特徴とする太陽電池付電子機器。
【請求項２】
前記台座開口部は、前記フランジ部の前記カバーガラスが配置される側に対し反対側から見て前記フランジ部が露出するように形成されていることを特徴とする請求項１に記載の太陽電池付電子機器。
【請求項３】
前記パッキンの一部に、前記フランジ部を切除した切除部を形成したことを特徴とする請求項１または請求項２に記載の太陽電池付電子機器。
【請求項４】
前記切除部に対応する箇所に、前記台座開口部を形成したことを特徴とする請求項２または請求項３に記載の太陽電池付電子機器。
【請求項５】
前記パッキンの前記台座開口部に対応する部位に、この台座開口部に臨まされる凸部を形成したことを特徴とする請求項１〜請求項４の何れかに記載の太陽電池付電子機器。
【請求項６】
前記台座開口部を少なくとも２つ形成し、各台座開口部を、前記カバーガラスの面方向中央部を中心にして振り分け配置したことを特徴とする請求項１〜請求項５の何れかに記載の太陽電池付電子機器。
【発明の詳細な説明】
【技術分野】
【０００１】
この発明は、太陽電池付電子機器に関するものである。
【背景技術】
【０００２】
例えば、太陽電池付電子機器としては、ソーラーパネルが取り付けられたデジタル腕時計がある。この種のデジタル腕時計は、外装ケースの表側に液晶表示部が取付けられ、この液晶表示部の上からカバーガラスが取付けられている。そして、カバーガラスの背面に、ソーラーパネルが取付けられている。
【０００３】
ソーラーパネルは、腕時計の外部から受ける衝撃がカバーガラスを介して伝達されることを抑制するために、カバーガラスから所定間隔をあけて配置される。また、ソーラーパネルは、受光面積を大きく確保できるようにカバーガラスの面方向中央の大部分に亘って配置される場合がある。
さらに、カバーガラスは、外装ケースから単体で取り外せるように構成してある場合が多い。このような場合、外装ケースとカバーガラスとの間には、シール性を確保するためにパッキンが介装されている。
【０００４】
このように構成することで、例えばカバーガラスが損傷した際、カバーガラスのみを交換するだけでよく、使用者の経済的負担を軽減できる。また、外装ケースとカバーガラスとの間にパッキンを介装することで外装ケース内への塵埃等の浸入を防止できる。例え、デジタル腕時計の組立工程の途中で、外装ケースとソーラーパネルの間に塵埃等が混入した場合であっても、カバーガラスを取り外して塵埃を取り除いた後、再度組立て作業を行うことができ、製品歩留まりを向上させることも可能になる（例えば、特許文献１参照）。
【先行技術文献】
【特許文献】
【０００５】
【特許文献１】特開平１１−３３７６７０号公報
【発明の概要】
【発明が解決しようとする課題】
【０００６】
ところで、上述の従来技術にあっては、外装ケースからカバーガラスを取り外す場合、外装ケースの内側からカバーガラスを外側に向かって押圧して取り外すことになる。このとき、カバーガラスの背面の大部分にソーラーパネルが配置されているので、カバーガラスを直接押圧することが困難で、ソーラーパネルを直接押圧し、このソーラーパネルごとカバーガラスを押圧することになる。また、外装ケースとカバーガラスとの間にパッキンが介装されているので、この分カバーガラスを取り外す際に大きな押圧力が必要になる。
このため、カバーガラスを取り外す際、ソーラーパネルを損傷する虞があるという課題がある。
【０００７】
さらに、カバーガラスの背面にソーラーパネルが配置されることにより、これらカバーガラスとソーラーパネルとにより取り囲まれて形成される空間と、ソーラーパネルと外装ケースの裏側に取付けられる裏蓋とにより取り囲まれて形成される空間とが、ソーラーパネルにより遮断される。
【０００８】
ここで、腕時計の防水検査の方法として、裏蓋を取り付けた完成状態の外装ケースを温めて外装ケース内の温度を上昇させ、内部に侵入した微量の水分を気化させ、その後カバーガラス表面を冷却し、カバーガラスの内面に結露が発生するか否かを確認することにより、外装ケース内に水が侵入したか否かを判断する方法がある。このような方法により防水検査を行う場合、ソーラーパネルによって外装ケース内の空間が分断されてしまうと、外装ケース内の空気の移動が制限されてしまい、精度よく防水検査を行うことが困難になるという課題がある。
【０００９】
そこで、この発明は、上述した事情に鑑みてなされたものであって、カバーガラスを外装ケースから外す際にもソーラーパネルの損傷を防止でき、且つ防水検査の精度を向上させることができる太陽電池付電子機器を提供するものである。
【課題を解決するための手段】
【００１０】
上記の課題を解決するために、本発明に係る太陽電池付電子機器は、ケース開口部を有する外装ケースと、前記ケース開口部に装着されるパッキンと、前記ケース開口部に前記パッキンを介して内嵌され、前記ケース開口部を閉塞するように前記外装ケースに取付けられるカバーガラスと、前記カバーガラスの背面に、このカバーガラスの面方向中央の大部分に亘って配置され、且つ前記カバーガラスと所定間隔をあけて配置されるソーラーパネルとを有し、前記ケース開口部の内周に、前記カバーガラスの外周部を載置可能、且つ前記ソーラーパネルの面方向の位置決め可能な台座部を形成し、前記パッキンは、前記ケース開口部と前記カバーガラスとの間に介装される本体部と、前記本体部の前記台座部側の端部から延出され、前記カバーガラスと前記台座部との間に介装されるフランジ部とを有し、前記台座部に、少なくとも前記パッキンの前記フランジ部の一部が露出する台座開口部を形成したことを特徴とする。
【００１１】
このように構成することで、カバーガラスの面方向中央の大部分にソーラーパネルが配置されている太陽電池付電子機器において、外装ケースの内側から台座開口部を介してカバーガラスの外周部を外側に向かって押圧することができる。このため、カバーガラスを取り外す際、ソーラーパネルを直接押圧する必要がなく、ソーラーパネルの損傷を防止できる。
【００１２】
本発明に係る太陽電池付電子機器は、前記パッキンの一部に、前記フランジ部を切除した切除部を形成したことを特徴とする。
【００１３】
このように構成することで、切除部を介し、ソーラーパネルを挟んで両側に存在する空間を連通させることができる。これにより、外装ケース内の空気の移動が制限されることがなくなり、防水検査を高精度に行うことが可能になる。
【００１４】
本発明に係る太陽電池付電子機器は、前記切除部に対応する箇所に、前記台座開口部を形成したことを特徴とする。
【００１５】
このように構成することで、ソーラーパネルを挟んで両側に存在する空間をより確実に連通させることができるので、防水検査の精度をより確実に向上させることが可能になる。
また、台座開口部を介してカバーガラスを露出させることができるので、このカバーガラスの外周部を直接押圧することが可能になる。このため、カバーガラスに押圧力が効率よく伝達され、さらに容易にカバーガラスを取り外すことが可能になる。
【００１６】
本発明に係る太陽電池付電子機器は、前記パッキンの前記台座開口部に対応する部位に、この台座開口部に臨まされる凸部を形成したことを特徴とする。
【００１７】
このように構成することで、台座開口部を介してパッキンを押圧する際、パッキンに荷重をかけ易くなり、パッキンを介してカバーガラスに押圧力を伝達し易くなる。このため、さらに容易にカバーガラスを取り外すことができる。
【００１８】
本発明に係る太陽電池付電子機器は、前記台座開口部を少なくとも２つ形成し、各台座開口部を、前記カバーガラスの面方向中央部を中心にして振り分け配置したことを特徴とする。
【００１９】
このように構成することで、カバーガラスの外周部にバランスよく荷重をかけることができる。このため、カバーガラスを取り外す際、このカバーガラスが損傷してしまうことを確実に防止できると共に、さらに容易にカバーガラスを取り外すことが可能になる。
【発明の効果】
【００２０】
本発明によれば、カバーガラスの面方向中央の大部分にソーラーパネルが配置されている太陽電池付電子機器において、外装ケースの内側から台座開口部を介してカバーガラスの外周部を外側に向かって押圧することができる。このため、カバーガラスを取り外す際、ソーラーパネルを直接押圧する必要がなく、ソーラーパネルの損傷を防止できる。
また、切除部を介し、ソーラーパネルを挟んで両側に存在する空間を連通させることができる。これにより、外装ケース内の空気の移動が制限されることがなくなり、防水検査を高精度に行うことが可能になる。
【図面の簡単な説明】
【００２１】
【図１】本発明の第１実施形態における太陽電池付腕時計の正面図である。
【図２】本発明の第１実施形態における外装ケースを背面側からみた平面図であって、裏蓋を取り外した状態を示す。
【図３】図１のＡ−Ａ線に沿う断面図である。
【図４】図１のＢ−Ｂ線に沿う断面図である。
【図５】本発明の第１実施形態におけるガラスパッキンの平面図である。
【図６】図１のＣ−Ｃ線に沿う断面図である。
【図７】本発明の第２実施形態における太陽電池付腕時計の部分縦断面図である。
【図８】本発明の第２実施形態におけるガラスパッキンの平面図である。
【図９】本発明の第３実施形態における太陽電池付腕時計の部分縦断面図である。
【発明を実施するための形態】
【００２２】
（第１実施形態）
（太陽電池付腕時計）
次に、この発明の第１実施形態を図１〜図６に基づいて説明する。
図１は、太陽電池付腕時計１の正面図である。図２は、外装ケース２を背面側からみた平面図であって、裏蓋１９を取り外した状態を示す。図３は、図１のＡ−Ａ線に沿う断面図である。図４は、図１のＢ−Ｂ線に沿う断面図である。
尚、以下の説明において、ユーザが太陽電池付腕時計１を装着した状態で、ユーザの腕に接する面を背面側、この背面側とは反対側であって、かつ外方に向く側の面を正面側などと表現して説明する。
【００２３】
図１〜図４に示すように、太陽電池付電子機器である太陽電池付腕時計１は、外装ケース２と、この外装ケース２内に収納された時計ムーブメント３と、外装ケース２の中央の大部分に形成され、且つ外装ケース２の厚さ方向に貫通するように形成されたケース開口部４を、表面側（図３、図４における左側）から閉塞するカバーガラス５と、このカバーガラス５の背面側（図３、図４における右側）に取付けられた太陽電池であるソーラーパネル６とを備えている。
【００２４】
外装ケース２の側面には、６時側と１２時側とにそれぞれ時計バンド（不図示）を取り付けるためのバンド取付け部７ａ，７ｂが形成されている。また、外装ケース２の側面には、４つの切替えスイッチ８ａ〜８ｄが設けられていると共に、外装ケース２の正面側（図３、図４における左側）であって、且つ６時側には、切替えスイッチ８ｅが設けられている。これら切替えスイッチ８ａ〜８ｅは、後述の液晶パネル２１に表示される内容を切替えるためのスイッチである。
【００２５】
外装ケース２のケース開口部４には、正面側寄りの内周面に、径方向内側に向かって突出する台座部９が全周に亘って形成されている。これにより、ケース開口部４と台座部９の上面９ａとによりカバーガラス収納部１０が形成される。このカバーガラス収納部１０には、ガラスパッキン１５を介してカバーガラス５が嵌め込まれる。
【００２６】
（ガラスパッキン）
図５は、ガラスパッキン１５の平面図である。
図３〜図５に示すように、ガラスパッキン１５は、平面視でケース開口部４に対応するように略リング状に形成され、且つ断面略Ｌ字状に形成されたものである。すなわち、ガラスパッキン１５は、ケース開口部４の内周面に沿って配置されるパッキン本体１６と、このパッキン本体１６の背面側端から径方向内側に向かって屈曲延出するフランジ部１７とにより構成されている。そして、パッキン本体１６は、カバーガラス５の側面５ａとケース開口部４の内周面との間に介在し、両者５ａ，４により僅かに圧縮変形する。
【００２７】
また、台座部９には、カバーガラス５の外周部５ｂが載置される。このため、この外周部５ｂの背面と、台座部９の上面９ａとの間にガラスパッキン１５のフランジ部１７が介在し、カバーガラス５と台座部９とによりフランジ部１７が圧縮変形する。これにより、外装ケース２とカバーガラス５との間のシール性が確実に確保される。
【００２８】
図１〜図４に戻り、台座部９の内周部側全周には、正面側に凹部１１が形成されている。この凹部１１には、ソーラーパネル６の外周部が載置される。
ソーラーパネル６は、ガラス基板１２を有している。ガラス基板１２は、この投影面積がカバーガラス５の投影面積よりもやや小さくなる程度に形成され、カバーガラス５の面方向中央の大部分に亘って配置されている。換言すれば、ガラス基板１２は、凹部１１の外形状に対応するように形成されている。このため、凹部１１にガラス基板１２が載置されることによって、ガラス基板１２の厚さ方向、面方向の位置決めが行われる。
【００２９】
ガラス基板１２の外周部はセル形成領域１３に設定されており、このセル形成領域１３の一面（図３における右側の面）に、複数の太陽電池セル１３ａが周方向全体に亘って配置されている。各太陽電池セル１３ａは、内部にＰＮ接合やＰＩＮ接合などの半導体接合を有し、単結晶シリコンや多結晶シリコン、アモルファスシリコンなどのシリコン半導体材料、ＧａＡｓやＣｕＩｎＳｅなどの化合物系半導体材料、色素増感系など一般的な太陽電池材料などからなるものが用いられる。
尚、図１、図２においては、ガラス基板１２のセル形成領域１３のみ図示し、太陽電池セル１３ａの図示を省略している。
【００３０】
ここで、ガラス基板１２が載置されている凹部１１の深さは、ガラス基板１２の厚さと略一致するように設定されている。これにより、凹部１１にガラス基板１２を載置した状態では、このガラス基板１２と台座部９の上面９ａとがほぼ面一になる。一方、台座部９の上面９ａとカバーガラス５との間には、ガラスパッキン１５のフランジ部１７が介在しているので、カバーガラス５とソーラーパネル６との間には、所定の間隙Ｋ１が形成される。この、間隙Ｋ１は、周囲がカバーガラス５、ソーラーパネル６、台座部９、及びガラスパッキン１５によって閉塞される。
【００３１】
また、台座部９には、この台座部９を厚さ方向に貫通するように形成された５つの台座開口部１４ａ〜１４ｅがケース開口部４の中央部を中心にして振り分け配置されている。
より具体的には、台座開口部１４ａ〜１４ｅは、台座部９の周方向に沿って長くなるように略長円形状に形成されており、１２時側、３時側、５時側、７時側、及び９時側の方向にそれぞれ形成されている。そして、台座部９の背面側は、台座開口部１４ａ〜１４ｅを介してガラスパッキン１５のフランジ部１７が露出した状態になる。
【００３２】
すなわち、１２時側に形成された台座開口部１４ａからは、この短手方向中央から一側に至る領域Ｒ１（図１におけるハッチ部の領域Ｒ１）に、ケース開口部４の内周面、つまり、ガラスパッキン１５を構成するパッキン本体１６の外周縁から、ガラスパッキン１５を構成するフランジ部１７の内周縁に至る間の領域が露出した状態になる。
【００３３】
また、３時側に形成された台座開口部１４ｂ、５時側に形成された台座開口部１４ｃ、７時側に形成された台座開口部１４ｄ、及び９時側に形成された台座開口部１４ｅからは、それぞれこれら短手方向両側の間のほぼ全体の領域Ｒ２、Ｒ３，Ｒ４，Ｒ５（図１におけるハッチ部の領域Ｒ２，Ｒ３，Ｒ４，Ｒ５）に、ガラスパッキン１５におけるパッキン本体１６の外周縁からフランジ部１７の内周縁に至る間の領域が露出した状態になる。
尚、各台座開口部１４ａ〜１４ｅの形状は、これら台座開口部１４ａ〜１４ｅからガラスパッキン１５のフランジ部１７の一部が露出可能な形状であればよく、上述のように、図１、図２に示す形状に限られるものではない。
【００３４】
さらに、外装ケース２の背面側には、ケース開口部４の周囲を取り囲むようにパッキン溝１８が形成されている。このパッキン溝１８に不図示の裏蓋パッキンを装着した上から、ケース開口部４の背面側を閉塞するように裏蓋１９が設けられている。そして、外装ケース２内の裏蓋１９と、台座部９との間の空間ＡＲ１に、時計ムーブメント３が配置されている。
【００３５】
時計ムーブメント３は、略リング状に形成されたパネル枠２０を有している。外装ケース２に形成されている台座部９は背面側が時計ムーブメント受け面９ｂとされ、この時計ムーブメント受け面９ｂに、パネル枠２０が取り付けられている。
パネル枠２０には、正面側に液晶パネル２１が保持されている。すなわち、液晶パネル２１は、パネル枠２０を介して外装ケース２に取り付けられた状態になっている。
【００３６】
液晶パネル２１は、一対のガラス基板２２ａ，２２ｂ間に液晶が封入されたものであって、時刻表示等を行う。また、液晶パネル２１の背面側には、この液晶パネル２１を背面側から証明するＥＬ（Ｅｌｅｃｔｒｏｌｕｍｉｎｅｓｃｅｎｃｅ）パネル２３が設けられている。
【００３７】
ここで、液晶パネル２１の正面側に、この液晶パネル２１の正面全体を覆うようにソーラーパネル６が配置され、ユーザからは液晶パネル２１の前面がソーラーパネル６により遮られることになる。しかしながら、ソーラーパネル６は、ガラス基板１２と、ガラス基板１２の一面に形成された太陽電池セル１３ａとを備えた構成になっており、太陽電池セル１３ａは、ガラス基板１２の外周部に設定されているセル形成領域１３に形成されている。このため、ユーザは、ソーラーパネル６を介して液晶パネル２１の表示内容を視認することができる。
【００３８】
パネル枠２０のＥＬパネル２３よりも背面側には、回路基板２４が設けられている。回路基板２４の表面には、所定の配線パターンが形成されている。この配線パターンの所定の位置には、それぞれ電子部品が実装されている。電子部品としては、液晶パネル２１に表示する内容や時刻の発振を司るＩＣチップやコンデンサ等が挙げられる。
また、回路基板２４の正面側であって、かつ液晶パネル２１の外周部に対応する位置には、回路基板２４と液晶パネル２１とに跨るように、導電性ゴム２５が設けられている。
この導電性ゴム２５を介して、回路基板２４と液晶パネル２１とが電気的に接続される。
【００３９】
ここで、回路基板２４、及びソーラーパネル６も互いに電気的に接続されている。
図６は、図１のＣ−Ｃ線に沿う断面図である。
図１、図６に示すように、回路基板２４の１２時側には、回路基板２４とソーラーパネル６とに跨る接続端子２６が２つ立設されている。接続端子２６は、例えばコイルバネからなる導電部材である。外装ケース２の接続端子２６に対応する部位には、それぞれ接続端子２６を挿通可能な挿通孔９ｂが形成されている。この挿通孔９ｂを介して接続端子２６の一端が回路基板２４に接続されると共に、他端がソーラーパネル６の太陽電池セル１３ａに接続されている。これにより、回路基板２４と太陽電池セル１３ａとが電気的に接続される。尚、接続端子２６は、コイルバネに限られるものではなく、例えば導電性ゴムを使用してもよい。
【００４０】
図３に示すように、回路基板２４の背面側には、各電子部品の駆動電源となるボタン型の二次電池２７が実装されている。回路基板２４の背面側には電池端子２７ａが設けられており、この電池端子２７ａを介して二次電池２７と回路基板２４とが電気的に接続される。また、二次電池２７は、回路基板２４に固定されている電池枠２８に保持されている。
また、回路基板２４の外周縁には、外装ケース２の側面に設けられている４つの切替えスイッチ８ａ〜８ｄが電気的に接続されている。これにより、切替えスイッチ８ａ〜８ｄの操作に基づいて液晶パネル２１の表示が切り替わる。
【００４１】
さらに、回路基板２４の６時側には、サブ基板３３が設けられている。このサブ基板３３は、外装ケース２の６時側に設けられている切替えスイッチ８ｅと回路基板２４とを電気的に接続するためのものである。切替えスイッチ８ｅは、ラバースイッチ２９を介してサブ基板３３に接触・離反するようになっている。また、サブ基板３３と回路基板２４との間には、両者２８，２４に跨るコネクタ端子３０が設けられている。コネクタ端子３０は、導電性ゴムやコイルバネ等からなるものであって、サブ基板３３と回路基板２４とを電気的に接続している。これにより、切替えスイッチ８ｅの操作に基づいて液晶パネル２１の表示が切り替わる。
【００４２】
また、裏蓋１９の内面には、圧電ブザー３１が設けられている。圧電ブザー３１は、厚み方向に分極された圧電セラミックス薄板（圧電素子）と薄い金属（又は樹脂）振動板とを貼り合わせたものである。
ここで、時計ムーブメント３には、裏蓋１９側に向かって裏蓋押さえ３２が突設されている。この裏蓋押さえ３２によって、裏蓋１９のばたつきが抑えられるようになっている。
【００４３】
（カバーガラス取り外し方法）
次に、外装ケース２からのカバーガラス５の取り外し方法について説明する。
まず、外装ケース２から裏蓋１９を取り外し、さらに、時計ムーブメント３を取り外す。このとき、外装ケース２の背面側は、中央の大部分にソーラーパネル６が露出した状態になると共に、各台座開口部１４ａ〜１４ｅが露出した状態になる。さらに、各台座開口部１４ａ〜１４ｅを介し、ガラスパッキン１５のフランジ部１７が露出した状態になる（図１における領域Ｒ１〜Ｒ５参照）。
【００４４】
このため、各台座開口部１４ａ〜１４ｅを介して不図示の治具等を用いてガラスパッキン１５のフランジ部１７を直接押圧し、カバーガラス５を外側へと押出すことができる。
ここで、各台座開口部１４ａ〜１４ｅは、ケース開口部４の中央部を中心にして、つまり、カバーガラス５の面方向中央部を中心にして振り分け配置されている。より具体的には、台座開口部１４ａ〜１４ｅは、台座部９の周方向に沿って長くなるように略長円形状に形成されており、１２時側、３時側、５時側、７時側、及び９時側の方向にそれぞれ形成されている。このため、カバーガラス５の外周部全体に亘ってバランスよく荷重をかけながらカバーガラス５を外側へと押出し、カバーガラス５を取り外すことができる。
【００４５】
また、カバーガラス５は、ガラスパッキン１５を僅かに押し潰すように圧縮変形させた状態で外装ケース２のカバーガラス収納部１０に嵌まり込んでいる。このため、カバーガラス５を外側へと押出すために必要な押圧力は、例えば、１０ｋｇｆ〜２０ｋｇｆ程度になる。しかしながら、ガラスパッキン１５を押圧するので、ソーラーパネル６に押圧力が伝達されることなく、カバーガラス５を取り外すことができる。
【００４６】
したがって、上述の第１実施形態によれば、カバーガラス５を取り外す際、ソーラーパネル６の損傷を防止できる。
また、各台座開口部１４ａ〜１４ｅを、カバーガラス５の中央部を中心にして振り分け配置することにより、カバーガラス５の外周部全体に亘ってバランスよく荷重をかけながらカバーガラス５を外側へと押出し、カバーガラス５を取り外すことができる。このため、カバーガラス５に局所的な荷重がかかり、カバーガラス５が損傷してしまうことを防止できると共に、容易にカバーガラス５を取り外すことが可能になる。
【００４７】
（第２実施形態）
次に、この発明の第２実施形態を図７、図８に基づいて説明する。尚、第１実施形態と同一態様には、同一符号を付して説明する（以下の実施形態についても同様）。
図７は、太陽電池付腕時計１０１の部分縦断面図であって、図３の一部と対応している。図８は、ガラスパッキン１１５の平面図である。
【００４８】
この第２実施形態において、太陽電池付腕時計１０１は、外装ケース２と、この外装ケース２内に収納された時計ムーブメント３と、外装ケース２の中央の大部分に外装ケースの厚さ方向に貫通するように形成されたケース開口部４を、表面側（図８における左側）から閉塞するカバーガラス５と、このカバーガラス５の背面側（図８における右側）に取付けられた太陽電池であるソーラーパネル６とを備えている点、外装ケース２のケース開口部４には、表面側寄りの内周面に、径方向内側に向かって突出する台座部９が全周に亘って形成されており、この台座部９のカバーガラス収納部１０にガラスパッキン１１５を介してカバーガラス５が取付けられていると共に、台座部９に形成されている凹部１１にソーラーパネル６が取付けられている点等の基本的構成は、前述した第１実施形態と同様である（以下の実施形態についても同様）。
【００４９】
ここで、前述の第１実施形態とこの第２実施形態の相違点は、第１実施形態のガラスパッキン１５と第２実施形態のガラスパッキン１１５との形状が異なる点にある。
より詳しくは、図７、図８に示すように、第２実施形態のガラスパッキン１１５には、台座部９に形成されている台座開口部１４ａ〜１４ｅに対応する箇所に、フランジ部１７を切除した切除部４１が形成されている。すなわち、切除部４１は、フランジ部１７における１２時側、３時側、５時側、７時側、及び９時側の方向にそれぞれ形成されている。
【００５０】
このように構成されたガラスパッキン１１５は、切除部４１が形成されている箇所が断面略Ｉ字状になる。このため、台座開口部１４ａ〜１４ｅを介してカバーガラス５の外周部が直接露出する。
また、図７に詳示するように、切除部４１が形成されることにより、台座開口部１４ａ〜１４ｅと、カバーガラス５とソーラーパネル６との間に形成されている間隙Ｋ１とが連通される。すなわち、台座開口部１４ａ〜１４ｅを介して間隙Ｋ１と、裏蓋１９と台座部９との間に形成されている空間ＡＲ１とが連通される。
【００５１】
このような構成のもと、間隙Ｋ１と空間ＡＲ１との間で台座開口部１４ａ〜１４ｅを介して空気が移動する。つまり、例えば外装ケース２内の空間ＡＲ１に水が侵入した場合、水分を含んだ空気が台座開口部１４ａ〜１４ｅを介して間隙Ｋ１側へと流通される（図７における矢印Ｙ１参照）。
このような状態で、太陽電池付腕時計１０１の防水検査を行うにあたって外装ケース２内の温度を上昇させると、間隙Ｋ１に流通した水分がカバーガラス５に付着したときにこのカバーガラス５の背面で結露する。このため、外装ケース２内に水が浸入したことを確認することができる。
【００５２】
ここで、間隙Ｋ１と空間ＡＲ１とが台座開口部１４ａ〜１４ｅを介して連通していない場合、間隙Ｋ１、及び空間ＡＲ１の空気の移動が制限されてしまう。つまり、例えば外装ケース２内の空間ＡＲ１に水が侵入した場合であっても、水分を含んだ空気が間隙Ｋ１へと流通することがない。このため、外装ケース２内の温度を上昇させた場合であってもカバーガラス５が結露することがない。
【００５３】
したがって、上述の第２実施形態によれば、ガラスパッキン１１５のフランジ部１７に切除部４１を形成することにより、カバーガラス５とソーラーパネル６との間に形成されている間隙Ｋ１と、裏蓋１９と台座部９との間に形成されている空間ＡＲ１との間の空気の移動をスムーズに行うことができる。このため、防水検査を高精度に行うことが可能になる。
【００５４】
しかも、ガラスパッキン１１５の切除部４１は、台座部９の台座開口部１４ａ〜１４ｅに対応する位置に形成されているので、この分、台座開口部１４ａ〜１４ｅをガラスパッキン１１５のフランジ部１７が塞ぐこともなく、台座開口部１４ａ〜１４ｅを大きく開口させることができる。このため、確実に間隙Ｋ１と空間ＡＲ１との間の空気の移動をスムーズに行うことが可能になる。
【００５５】
また、台座開口部１４ａ〜１４ｅを介してカバーガラス５の外周部が直接露出するので、このカバーガラス５の外周部を直接押圧することが可能になる。このため、カバーガラス５に押圧力が効率よく伝達され、さらに容易にカバーガラス５を取り外すことが可能になる。
【００５６】
尚、上述の第２実施形態では、ガラスパッキン１１５のフランジ部１７には、台座部９に形成されている台座開口部１４ａ〜１４ｅに対応する箇所に、フランジ部１７を切除した切除部４１を形成した場合について説明した。しかしながら、これに限られるものではなく、フランジ部１７の台座開口部１４ａ〜１４ｅを避けた位置に切除部４１を形成してもよい。このような場合であっても、各台座開口部１４ａ〜１４ｅの開口面積を、ガラスパッキン１１５のフランジ部１７によって完全に閉塞されない大きさに設定すればよい。
【００５７】
（第３実施形態）
次に、この発明の第３実施形態を図９に基づいて説明する。
図９は、太陽電池付腕時計２０１の部分縦断面図であって、図３の一部と対応している。
ここで、前述の第１実施形態とこの第３実施形態の相違点は、第１実施形態のガラスパッキン１５と第３実施形態のガラスパッキン２１５との形状が異なる点にある。
【００５８】
より詳しくは、図９に示すように、ガラスパッキン２１５は、外装ケース２のケース開口部４の内周面に沿って配置されるパッキン本体１６と、このパッキン本体１６の背面側端から径方向内側に向かって屈曲延出するフランジ部１７とにより構成されている点は、前述の第１実施形態のガラスパッキン１５と同一であるが、フランジ部１７の台座開口部１４ａ〜１４ｅに対応する箇所に、これら台座開口部１４ａ〜１４ｅに向かって臨まされる凸部５１が立設されている。
【００５９】
このような構成のもと、外装ケース２からカバーガラス５を取り外す際、台座開口部１４ａ〜１４ｅに臨まされた凸部５１を不図示の治具等を用いて押圧する。これにより、カバーガラス５を外側へと押出し、取り外すことができる。
【００６０】
したがって、上述の第３実施形態によれば、ガラスパッキン２１５に、それぞれ台座開口部１４ａ〜１４ｅに臨まされた凸部５１が立設されているので、台座開口部１４ａ〜１４ｅを介してガラスパッキン２１５を押圧する際、このガラスパッキン２１５に荷重をかけ易くすることができる。すなわち、ガラスパッキン２１５を介したカバーガラス５への押圧力の伝達を容易にすることができる。このため、凸部５１が形成されていない場合と比較して、カバーガラス５の取り外し作業を容易に行うことが可能になる。
【００６１】
尚、本発明は上述の実施形態に限られるものではなく、本発明の趣旨を逸脱しない範囲において、上述の実施形態に種々の変更を加えたものを含む。
例えば、上述の実施形態では、太陽電池付電子機器として、太陽電池付腕時計１，１０１，２０１に本発明を適用した場合について説明した。しかしながら、これに限られるものではなく、カバーガラスの背面にソーラーパネルを配置し、外装ケースの開口部をカバーガラスにより閉塞するように構成されたさまざまな太陽電池付電子機器に本発明を適用することが可能である。
【００６２】
また、上述の実施形態では、外装ケース２の台座部９には、１２時側、３時側、５時側、７時側、及び９時側に、それぞれ台座開口部１４ａ〜１４ｅが５つ形成されている場合について説明した。しかしながら、これに限られるものではなく、ケース開口部４の中央部を中心にして、つまり、カバーガラス５の面方向中央部を中心にして振り分け配置されていればよい。換言すれば、例えば、各台座開口部１４ａ〜１４ｅを線で結んで囲まれる領域内に、カバーガラス５の面方向中央部が存在するように、それぞれ台座開口部１４ａ〜１４ｅを配置すればよい。
【００６３】
さらに、台座開口部１４ａ〜１４ｅを５つ形成する必要はなく、少なくとも１つ、好ましくは２つ以上台座開口部が形成されていればよい。
台座開口部を２つ以上形成する場合、各台座開口部を、カバーガラス５の面方向中央部を中心にして振り分け配置すればよい。すなわち、例えば、台座開口部を２つに設定した場合、これら２つの台座開口部は、カバーガラス５の面方向中央部を挟んで両側に配置するように構成すればよい。
また、台座開口部を３つ以上に設定した場合、各台座開口部を線で結んで囲まれる領域内に、カバーガラス５の面方向中央部が存在するように、各台座開口部を配置すればよい。
【符号の説明】
【００６４】
１，１０１，２０１  太陽電池付腕時計（太陽電池付電子機器）
２  外装ケース
４  ケース開口部
５  カバーガラス
６  ソーラーパネル
９  台座部
１４ａ〜１４ｅ  台座開口部
１５，１１５，２１５  ガラスパッキン（パッキン）
１６  パッキン本体（本体部）
１７  フランジ部
４１  切除部
５１  凸部
【図１】
0005715506.tif 000002
【図２】
0005715506.tif 000003
【図３】
0005715506.tif 000004
【図４】
0005715506.tif 000005
【図５】
0005715506.tif 000006
【図６】
0005715506.tif 000007
【図７】
0005715506.tif 000008
【図８】
0005715506.tif 000009
【図９】
0005715506.tif 000010